(57)【要約】      （修正有）【課題】藻類を痛めることなく、施肥液を効果的に供給可能とする藻類養殖用施肥具を提供する。【解決手段】水中に配設されたロープ１に養殖された藻類ＷＭに施肥するための藻類養殖用施肥具１００であって、イオン化する液肥を含む藻類養殖用施肥剤と、藻類養殖用施肥剤を内部に収納する中空状の、一方向に延長した外形を有する延長容器と、延長容器を、その延長方向がロープ１の延長方向に沿う姿勢にて固定するための固定具とを備え、延長容器が、その一部に、藻類養殖用施肥剤のイオンを透過させ、かつ水分を透過させない半透膜を設け、半透膜を通じて延長容器内の藻類養殖用施肥剤のイオンを溶出するよう構成している。【選択図】図２
2019097542.tif 000002
【特許請求の範囲】
【請求項１】
水中に配設されたロープに養殖された藻類に施肥するための藻類養殖用施肥具であって、
イオン化する液肥を含む藻類養殖用施肥剤と、
前記藻類養殖用施肥剤を内部に収納する中空状の、一方向に延長した外形を有する延長容器と、
前記延長容器を、その延長方向がロープの延長方向に沿う姿勢にて固定するための固定具と、
を備え、
前記延長容器が、その一部に、前記藻類養殖用施肥剤のイオンを透過させ、かつ水分を透過させない半透膜を設け、該半透膜を通じて該延長容器内の藻類養殖用施肥剤のイオンを溶出するよう構成してなる藻類養殖用施肥具。
【請求項２】
請求項１に記載の藻類養殖用施肥具であって、
前記半透膜が、前記延長容器の側面において環状に形成されてなる藻類養殖用施肥具。
【請求項３】
請求項１又は２に記載の藻類養殖用施肥具であって、
前記半透膜が、前記延長容器の中間に形成されてなる藻類養殖用施肥具。
【請求項４】
請求項１〜３のいずれか一項に記載の藻類養殖用施肥具であって、さらに、
前記延長容器を保持する開閉式の保持枠を備え、
前記固定具が、前記保持枠に設けられてなる藻類養殖用施肥具。
【請求項５】
請求項４に記載の藻類養殖用施肥具であって、
前記保持枠が、メッシュ状に形成されてなる藻類養殖用施肥具。
【請求項６】
請求項１〜５のいずれか一項に記載の藻類養殖用施肥具であって、
前記固定具が、先端を鉤爪状に形成してなる藻類養殖用施肥具。
【請求項７】
請求項１〜６のいずれか一項に記載の藻類養殖用施肥具であって、
前記延長容器が、
前記半透膜で中空状に構成し、内部に前記藻類養殖用施肥剤を保持する内層と、
前記内層を、部分的に半透膜を露出させた状態に被覆する、前記海藻養殖用施肥剤を透過させない外層と
を備えてなる藻類養殖用施肥具。
【請求項８】
請求項７に記載の藻類養殖用施肥具であって、
前記延長容器が、前記外層に、該延長容器の延長方向の横断面の全周に渡って形成された円環状の剥離線を、該延長容器の延長方向に沿って複数箇所に離間して設けており、
前記剥離線に沿って前記外層の一部を部分的に剥離することで、前記内層の一部を露出させて半透膜を形成可能としてなる藻類養殖用施肥具。
【請求項９】
請求項８に記載の藻類養殖用施肥具であって、
前記剥離線が、前記外層の肉厚を薄くした薄肉部又はミシン目である藻類養殖用施肥具。
【請求項１０】
請求項１〜９のいずれか一項に記載の藻類養殖用施肥具であって、
前記藻類養殖用施肥剤が、ゲル化されてなる藻類養殖用施肥具。
【請求項１１】
請求項１〜１０のいずれか一項に記載の藻類養殖用施肥具であって、
前記藻類養殖用施肥剤が、窒素を含む藻類養殖用施肥具。
【請求項１２】
請求項１〜１１のいずれか一項に記載の藻類養殖用施肥具であって、
前記藻類養殖用施肥剤が、藻類の色落ちの回復効果を奏する藻類養殖用施肥剤である藻類養殖用施肥具。
【請求項１３】
請求項１〜１２のいずれか一項に記載の藻類養殖用施肥具であって、
前記藻類養殖用施肥剤が、ワカメの色落ちの回復効果を奏する藻類養殖用施肥剤である藻類養殖用施肥具。
【発明の詳細な説明】
【技術分野】
【０００１】
本発明は、藻類養殖用施肥具に関する。
【背景技術】
【０００２】
近年、下水道の普及、工場排水規制の強化などに伴い河川からの栄養塩の供給量が低下し、海藻の養殖に必要な窒素やリンが不十分となり、ワカメや海苔などの海藻でしばしば色落ち現象が発生するようになっている。栄養塩の供給不足に加えて、近年、海藻養殖時にユーカンピアなどの大型珪藻類が繁殖するなどの報告が相次いでおり、このような珪藻類が海藻よりも優先的に窒素やリンを消費するため、養殖ワカメなどの色落ち被害を拡大しているとの報告が多くなっている。この色落ち被害に対して、各県漁連からは栄養塩に関する情報や珪藻注意報といった情報は出されているが、有効な対策がないのが現状である。また、色落ちした海藻の品質は悪化しているため、販売単価の大幅低下あるいは廃棄処分を余儀なくされ、栄養塩の供給低下や大型珪藻類の繁殖によって、養殖を早期に打ち切らざるを得ないような状況となり、生産量の大幅減少という事態も発生している。
【０００３】
このような海水の栄養塩濃度の低下に備えて、海藻、特に海苔養殖において、粒状肥料を入れた施肥装置を支柱や海苔網近傍のロープに設置することが行われている。肥料成分の肥効として緩効性が求められることより、被覆肥料を用いる例も見られるが、残存する被覆樹脂の殻の処分問題がある。これに対して、特許文献１では、尿素を使用しても急激に肥料成分が溶出しないように、孔径と孔の面積を調節した海苔養殖用施肥容器を開示している。
【０００４】
特許文献１に開示される海苔養殖用施肥器を、図２８に示す。この海苔養殖用施肥器２８０は、管径２０〜７０ｍｍ、管長０．５〜５ｍ、管の肉厚０．１〜０．３ｍｍの管状容器に、孔径０．１〜１ｍｍの孔が２〜２００個の範囲で設けられ、その全表面積が管状容器の全表面積に対し０．０００００２〜０．０００２で、且つ尿素が封入されている。また尿素の粒径が０．５〜５ｍｍで、管状容器がポリエチレン、ポリプロピレン、ポリ塩化ビニールから選ばれた材料で構成されている。この海苔養殖用施肥器によれば、海苔の養殖過程において、海水中の窒素濃度低下による栄養塩欠乏で発生する海藻の色落ち防止及びその回復に有用であるとされている。
【０００５】
しかしながら、このような海苔養殖用施肥器では、粒径０．５〜５ｍｍの粒状尿素を用いているところ、孔径０．１〜１ｍｍの孔から一部が流出してしまうおそれがあった。粒状や粉体のような固形物の肥料を破棄することは、海洋投棄にあたり禁止されている。また、正確な寸法の孔を多数穿孔した管状容器は製造が面倒で高コストとなる問題があった。さらに、尿素の溶出速度の制御も容易でない。特に従来の施肥剤は、海水に含浸すると一気に溶出し、施肥効果が持続しないという問題があった。例えばワカメの色落ちを抑制し、本来の色を回復するには、７〜１０日間は必要とされている。
【０００６】
そこで本発明者は、施肥剤を収納する容器として、図２９Ａ〜図２９Ｃに示す容器２９０Ａ〜２９０Ｃを開発した。さらに瓶状にした容器３００にワカメ用の施肥剤を詰めて図３０に示すようにワカメのロープＲＰに吊して試験を行った。しかしながらこの方法では、ゲル化によって溶出速度を抑制できるものの、ロープＲＰに吊された容器３００が波に揺られてワカメＷＭの根元に接触し、ワカメＷＭを激しく痛めることが判明した。
【０００７】
このように、ワカメ等の藻類を痛めない状態で、施肥液を効率良く供給する方法が確立されておらず、藻類の色落ちを抑制、回復することは実現されていなかった。
【先行技術文献】
【特許文献】
【０００８】
【特許文献１】特開２００９−２７３４２４号公報
【特許文献２】特許５８６４８１１号公報
【非特許文献】
【０００９】
【非特許文献１】池脇義弘，牧野賢治，西岡智哉，平野匠，上田幸男「ゼラチンを用いた藻類養殖用施肥剤の開発」日水誌，82(6), 917-922 (2016)
【発明の概要】
【発明が解決しようとする課題】
【００１０】
本発明は、このような背景に基づいてなされたものであり、その目的の一は、藻類を痛めることなく、肥料成分を効果的に供給可能な藻類養殖用施肥具を提供することにある。
【課題を解決するための手段及び発明の効果】
【００１１】
本発明の第１の形態に係る藻類養殖用施肥具によれば、水中に配設されたロープに養殖された藻類に施肥するための藻類養殖用施肥具であって、イオン化する液肥を含む藻類養殖用施肥剤と、前記藻類養殖用施肥剤を内部に収納する中空状の、一方向に延長した外形を有する延長容器と、前記延長容器を、その延長方向がロープの延長方向に沿う姿勢にて固定するための固定具とを備え、前記延長容器が、その一部に、前記藻類養殖用施肥剤のイオンを透過させ、かつ水分を透過させない半透膜を設け、該半透膜を通じて該延長容器内の藻類養殖用施肥剤のイオンを溶出するよう構成できる。上記構成により、延長容器が水中でロープに沿って固定されているため、波などにより揺られても延長容器が藻類に接触して傷付ける事態を回避できる。また半透膜を介して藻類養殖用施肥剤のイオンを放出する構成としたことで、藻類養殖用施肥剤が急激に溶出する事態を回避して施肥効果を持続させることができる。
【００１２】
また、第２の形態に係る藻類養殖用施肥具によれば、上記構成に加え、前記半透膜を、前記延長容器の側面において環状に形成することができる。上記構成により、延長容器の全周に渡って半透膜を通じて藻類養殖用施肥剤のイオンを放出できるので、延長容器をロープに固定する際の姿勢によらず、安定的に施肥効果を発揮させることが可能となる。
【００１３】
さらに、第３の形態に係る藻類養殖用施肥具によれば、上記何れかの構成に加え、前記半透膜を、前記延長容器の中間に形成することができる。上記構成により、延長容器の中間に形成された半透膜を通じて、延長容器の左右から藻類養殖用施肥剤のイオンを効果的に溶出できる。
【００１４】
さらにまた、第４の形態に係る藻類養殖用施肥具によれば、上記何れかの構成に加え、さらに前記延長容器を保持する開閉式の保持枠を備え、前記固定具を、前記保持枠に設けることができる。上記構成により、保持枠を介して延長容器をロープに装着でき、藻類養殖用施肥剤を使い切った後は延長容器のみを交換することで、再度施肥効果を発揮させることが可能となり、藻類養殖用施肥剤の再充填の手間を省力化できる利点が得られる。
【００１５】
さらにまた、第５の形態に係る藻類養殖用施肥具によれば、上記何れかの構成に加え、前記保持枠を、メッシュ状に形成することができる。上記構成により、保持枠に保持された延長容器の様子を外部から視認し易く、また延長容器の半透膜部分から溶出される藻類養殖用施肥剤のイオンを保持枠で妨げることなく放出することが可能となる。
【００１６】
さらにまた、第６の形態に係る藻類養殖用施肥具によれば、上記何れかの構成に加え、前記固定具の、先端を鉤爪状に形成することができる。上記構成により、ロープに固定具を固定し易くできる。例えばロープを編むストランド同士の隙間に固定具先端の鉤爪状を刺入して固定し易くできる。
【００１７】
さらにまた、第７の形態に係る藻類養殖用施肥具によれば、上記何れかの構成に加え、前記延長容器が、前記半透膜で中空状に構成し、内部に前記藻類養殖用施肥剤を保持する内層と、前記内層を部分的に半透膜を露出させた状態に被覆する、前記海藻養殖用施肥剤を透過させない外層を備えることができる。上記構成により、延長容器の一部に半透膜を容易に形成することが可能となる。
【００１８】
さらにまた、第８の形態に係る藻類養殖用施肥具によれば、上記何れかの構成に加え、前記延長容器が、前記外層に、該延長容器の延長方向の横断面の全周に渡って形成された円環状の剥離線を、該延長容器の延長方向に沿って複数箇所に離間して設けており、前記剥離線に沿って前記外層の一部を部分的に剥離することで、前記内層の一部を露出させて半透膜を形成可能とすることができる。上記構成により、所望の位置の剥離線にて半透膜領域を形成できるので、半透膜領域の幅を調整でき、半透膜領域の面積を可変とすることで延長容器内部の藻類養殖用施肥剤の溶出量を調整できる利点が得られる。
【００１９】
さらにまた、第９の形態に係る藻類養殖用施肥具によれば、上記何れかの構成に加え、前記剥離線を、前記外層の肉厚を薄くした薄肉部又はミシン目とすることができる。
【００２０】
さらにまた、第１０の形態に係る藻類養殖用施肥具によれば、上記何れかの構成に加え、前記藻類養殖用施肥剤を、ゲル化した状態とすることができる。
【００２１】
さらにまた、第１１の形態に係る藻類養殖用施肥具によれば、上記何れかの構成に加え、前記藻類養殖用施肥剤に窒素を含ませることができる。
【００２２】
さらにまた、第１２の形態に係る藻類養殖用施肥具によれば、上記何れかの構成に加え、前記藻類養殖用施肥剤を、藻類の色落ちの回復効果を奏する藻類養殖用施肥剤とすることができる。
【００２３】
さらにまた、第１３の形態に係る藻類養殖用施肥具によれば、上記何れかの構成に加え、前記藻類養殖用施肥剤を、ワカメの色落ちの回復効果を奏する藻類養殖用施肥剤とすることができる。
【図面の簡単な説明】
【００２４】
【図１】ワカメの養殖いかだを示す模式図である。
【図２】挟み込み法でワカメを固定したロープに実施形態１に係る藻類養殖用施肥具を装着した状態を示す模式側面図である。
【図３】巻き込み法でワカメを固定したロープに実施形態１に係る藻類養殖用施肥具を装着した状態を示す模式側面図である。
【図４】図２の藻類養殖用施肥具の拡大斜視図である。
【図５】図４の藻類養殖用施肥具の分解斜視図である。
【図６】図５の保持枠を示す斜視図である。
【図７】図５の藻類養殖用施肥具の延長容器を示す斜視図である。
【図８】図７の延長容器の分解斜視図である。
【図９】図７の延長容器の断面図である。
【図１０】実施形態２に係る藻類養殖用施肥具を示す断面図である。
【図１１】実施形態３に係る藻類養殖用施肥具を示す斜視図である。
【図１２】実施形態４に係る藻類養殖用施肥具を示す斜視図である。
【図１３】図６の保持枠をロープに固定する状態を示す斜視図である。
【図１４】図１４Ａ〜図１４Ｅは、それぞれ変形例に係る固定具を示す模式図である。
【図１５】図１５Ａ〜図１５Ｃは、それぞれ変形例に係る保持枠を示す斜視図である。
【図１６】実施形態５に係る藻類養殖用施肥具を示す斜視図である。
【図１７】実施形態６に係る藻類養殖用施肥具を示す斜視図である。
【図１８】図１８Ａは実施形態７に係る藻類養殖用施肥具を示す分解斜視図、図１８Ｂは斜視図である。
【図１９】図１９Ａは実施形態８に係る藻類養殖用施肥具の分解斜視図、図１９Ｂは斜視図である。
【図２０】図２０Ａは比較例１に係る延長容器、図２０Ｂは実施例１に係る延長容器、図２０Ｃは実施例２に係る延長容器を示す写真である。
【図２１】実施例１、２、比較例１に係る藻類養殖用施肥具の日数毎の硝酸塩の溶出率を示すグラフである。
【図２２】図２２Ａは実施例３に係る延長容器、図２２Ｂは実施例４に係る延長容器を示す写真である。
【図２３】実施例３、４に係る藻類養殖用施肥具の日数毎の硝酸塩の溶出率を示すグラフである。
【図２４】比較例３に係る藻類養殖用施肥具を示す写真である。
【図２５】比較例３、４に係る藻類養殖用施肥具の日数毎の硝酸塩の溶出率を示すグラフである。
【図２６】本発明の実施形態９に係る藻類養殖用施肥具を海苔養殖用に用いた例を示す模式平面図である。
【図２７】図２６の海苔網を示す拡大平面図である。
【図２８】従来の海苔養殖用施肥器を示す模式断面図である。
【図２９】図２９Ａ〜図２９Ｃは本発明者が試作したワカメ養殖用施肥剤の容器を示す斜視図である。
【図３０】図２９Ｃの容器をワカメの養殖用ロープに吊り下げて施肥する状態を示す模式図である。
【発明を実施するための形態】
【００２５】
以下、本発明の実施の形態を図面に基づいて説明する。ただし、以下に示す実施の形態は、本発明の技術思想を具体化するための例示であって、本発明は以下のものに特定されない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００２６】
本発明の実施形態１に係る藻類養殖用施肥具を図１〜図９に示す。藻類養殖用施肥具は、図１、図２に示すように水中に配設されたロープ１に養殖された藻類に施肥するための施肥具である。各藻類養殖用施肥具１００は、ロープ１に沿って互いに離間されて固定されている。ここでは、藻類としてワカメＷＭに対し施肥する例を示している。ワカメの養殖いかだ１０００は、図１に示すように３０ｍ×３１ｍ等の枠ＷＫをブイＢＹで構成して、この間にロープ１を等間隔に張設する。そして各ロープ１にワカメＷＭの種苗糸を付けると共に、図２に示すようにワカメＷＭの種苗糸をロープ１に固定している各固定位置ＦＰの近傍に、各藻類養殖用施肥具１００を配置している。固定位置ＦＰは、ワカメＷＭの種苗糸をロープ１に付ける方法に応じて調整される。例えば挟み込み法と呼ばれる方法では、２〜５ｃｍの長さに切った種苗糸を一定間隔でロープ１の撚りの間に挟み込む。挟み込む間隔は漁場や漁師によって異なるが、４０ｃｍ〜１ｍ程度の間隔とされることが多い。施肥は、ワカメＷＭの各固定位置ＦＰ、すなわちワカメＷＭの根元付近の成長点に行うことが効果的であるため、離間された各固定位置ＦＰでワカメＷＭの成長点に適切な濃度の液肥を供給できるように、各各藻類養殖用施肥具１００をロープ１に沿って固定する。図２の例では、挟み込み法でロープ１に固定されたワカメＷＭの成長点に対し、固定位置ＦＰ同士の間に藻類養殖用施肥具１００を固定している。この方法であれば、藻類養殖用施肥具１００の固定がワカメＷＭを直接傷付けることなく設置が可能となる。
【００２７】
一方、巻き付け法や巻き込み法等と呼ばれる方式では、図３に示すようにロープ（親縄）１に種苗糸ＳＴを巻き付けて、所々を細糸等で縛る。この方法に対して藻類養殖用施肥具１００を固定するには、藻類養殖用施肥具１００を固定するロープ１上の領域でワカメＷＭの除去（間引き）が必要となる。ただし、巻き付け法自体がワカメの間引きを必須としているため、収量に対する影響は軽微と思われる。以下、本実施形態では挟み込み法でロープ１に固定されたワカメＷＭに対する施肥を行う例を説明する。
【００２８】
各藻類養殖用施肥具１００の外観を図４に、分解斜視図を図５に示す。これらの図に示す藻類養殖用施肥具１００は、藻類養殖用施肥剤と、藻類養殖用施肥剤を収納する延長容器１０と、延長容器１０をロープ１に固定するための固定具２０を備える。この例では、固定具２０は図６の斜視図に示すように、保持枠３０に固定されている（詳細は後述）。
（藻類養殖用施肥剤）
【００２９】
藻類養殖用施肥剤は、藻類の色落ちの防止や回復効果を奏する肥料成分、特にイオン化する液肥を含んでいる。海水などの水温によらず、藻類養殖用施肥剤としての効果を持続できるような効果持続処理を施すことが好ましい。効果持続処理の例としては、藻類養殖用施肥剤をゲル化することが挙げられる。ゲル化剤としては、寒天やゼラチン等が利用できる。
【００３０】
また、藻類養殖用施肥剤の効果持続処理は必ずしもゲル化された状態のみに限られず、非ゲル状に固形化させた状態としてもよい。この場合、均質に固化させる他、表面のみを固化させて内部をゲル状としても良い。
【００３１】
なおゲル化剤として使用する材料の内、寒天はゼラチンに比べ、肥料成分を多量に含む液体でも固め易く、水温が上がっても固化状態を維持できる。
【００３２】
また藻類養殖用施肥剤は、窒素を含むことが好ましい。例えばワカメの色落ちの防止や回復効果に好適な成分として、アンモニウム塩や硝酸塩、例えば硝酸アンモニウム（ＮＨ4Ｎ０3）、硫酸アンモニウム、塩化アンモニウム等が利用できる。特に硝酸アンモニウムは、アンモニア性窒素と硝酸性窒素を含んでおり、硫酸アンモニウムと比べ窒素分は１．５倍程度あり、無効成分が含まれておらず、窒素肥料源として有効で速効性がある。流亡性が大きいとされているが、上述の通り効果持続処理を施すことで、効果を持続させることができる。
（延長容器１０）
【００３３】
延長容器１０は、内部を中空状として藻類養殖用施肥剤を収納可能としている。その外形は、一方向に延長した筒状としている。この延長容器１０は、肥料成分を透過しない材質、例えばポリエチレンビニール、ポリエチレンテレフタレート、ポリプロピレン、ポリ塩化ビニール製等とする。
（半透膜１２）
【００３４】
延長容器１０は、その一部に、藻類養殖用施肥剤のイオンを透過させ、かつ水分を透過させない半透膜１２を設けている。この半透膜１２を通じて、図９の断面図に示すように延長容器１０内の藻類養殖用施肥剤４０のイオンを溶出するよう構成している。これにより、延長容器１０が水中でロープ１に沿って固定され、波などにより揺られても延長容器１０が藻類に接触して傷付ける事態を回避できる。また延長容器の前面でなく、半透膜１２を介して藻類養殖用施肥剤４０のイオンを放出する構成としたことで、藻類養殖用施肥剤４０が延長容器の全面から急激に溶出する事態を回避して施肥効果を持続させることができる。
【００３５】
このような半透膜１２には、再生セルロース製の透析チューブ、例えば和光純薬工業製ダイアライシスメンブレンサイズ３６、スペクトラム社製スペクトラ／ポア４、ポア５（いずれも商品名）等が好適に利用できる。
【００３６】
半透膜１２は、延長容器１０の側面において環状に形成することが好ましい。これにより、延長容器１０の全周に渡って半透膜１２を通じて藻類養殖用施肥剤のイオンを放出できるので、延長容器１０をロープ１に固定する際の姿勢によらず、安定的に施肥効果を発揮させることが可能となる。
【００３７】
また半透膜１２は、延長容器１０の中間に形成することが好ましい。これにより、延長容器１０の中間に形成された半透膜１２を通じて、延長容器１０の左右から藻類養殖用施肥剤のイオンを効果的に溶出できる。
【００３８】
このような半透膜１２を延長容器１０の中間に形成するため、例えば延長容器１０を内層と外層の二重構造とする。このような延長容器１０を、図７の斜視図及び図８の分解斜視図に示す。これらの図に示す延長容器１０は、内層１１を半透膜１２で中空状に構成し、内部に藻類養殖用施肥剤を保持する。また外層１３は、内層１１の半透膜１２を部分的に露出させた状態に被覆する。この外層１３は、海藻養殖用施肥剤を透過させない。これにより、図９の断面図に示すように延長容器１０の一部に半透膜１２を容易に形成することが可能となる。これにより、延長容器１０内の海藻養殖用施肥剤４０が、半透膜１２を通じて外部に放出される。特に、図８に示すように外層１３を内層１１に沿わせて移動させて、中間の開口部分の面積を容易に調整できる利点が得られる。また所定の相対位置に外層１３と内層１１を位置決めした後、これらを固定する。例えば外層１３と内層１１を熱溶着させたり、接着材や両面テープ等で接着したり、輪ゴムのような弾性体で押圧するなど、既知の固定方法を適宜利用できる。
（実施形態２）
【００３９】
あるいは、図１０に示す実施形態２に係る藻類養殖用施肥具２００のように、延長容器１０Ｂを海藻養殖用施肥剤を透過させない非透過性部材で構成し、その一部を構成する材質を、海藻養殖用施肥剤を透過させる透過性部材（半透膜１２Ｂ）で構成してもよい。この構成であれば、予め半透膜１２Ｂを一体的に形成した延長容器１０Ｂを準備することで、上述した内層と外層の固定などの手間なく利用できる。
（実施形態３）
【００４０】
さらに他の実施形態として、延長容器１０を外層１３と内層１１の二重構造としつつ、外層１３を部分的に破断して、内層１１の半透膜１２を露出させるようにしてもよい。このような例を実施形態３に係る藻類養殖用施肥具３００として、図１１に示す。この図に示す延長容器１０は、外層１３Ｃに、延長容器１０Ｃの延長方向の横断面の全周に渡って形成された円環状の剥離線ＢＬを、この延長容器１０の延長方向に沿って複数箇所に離間して設けている。この剥離線ＢＬに沿って外層１３Ｃの一部を部分的に剥離することで、内層１１Ｃの半透膜１２Ｃを一部露出させることができる。これにより、所望の位置の剥離線ＢＬに沿って半透膜領域を形成できるので、半透膜領域の幅を調整できる。また半透膜領域の面積を可変とすることで延長容器内部の藻類養殖用施肥剤の溶出量を調整できる利点が得られる。このような剥離線ＢＬは、外層１３Ｃの肉厚を薄くした薄肉部や、ミシン目とすることができる。特に薄肉部は、ミシン目に比べ、破断部分がないため、破断部分から内層１１Ｃの藻類養殖用施肥剤が漏洩する虞がない。
（実施形態４）
【００４１】
さらに延長容器１０は、図２等に示したように、複数個を用意してロープ１に沿って離間して設ける構成とする他、一本の長い延長容器１０Ｄを、ロープ１に沿って固定しても良い。このような例を実施形態４に係る藻類養殖用施肥具４００として、図１２に示す。この構成の延長容器１０Ｄは、ロープ１に沿って半透膜領域１２Ｄを離間して形成する。この構成であれば、延長容器１０Ｄをロープ１に固定する位置を調整し易い。また上述した実施形態３のような剥離線ＢＬを設けることで、ワカメの固定位置に応じて所望の位置に半透膜領域１２Ｄを形成できるので、延長容器１０Ｄをロープ１に取り付けた後で藻類養殖用施肥剤を供給する位置の調整を容易に行える利点が得られる。
（固定具２０）
【００４２】
固定具２０は、延長容器１０をロープ１に、延長容器１０の延長方向がロープ１の延長方向に沿う姿勢で固定する。
（保持枠３０）
【００４３】
図４、図５の例では、藻類養殖用施肥具１００は延長容器１０を保持する保持枠３０を設けており、固定具２０はこの保持枠３０に固定されている。これにより、保持枠３０を介して延長容器１０をロープ１に装着できる。この保持枠３０は、図６の斜視図に示すように、メッシュ状の筒状に形成しており、この筒状本体３１の内部に延長容器１０を収納する。これにより、メッシュ状の隙間を通じて、延長容器１０から溶出する藻類養殖用施肥剤を藻類養殖用施肥具１００の外部に放出できる。メッシュ状の筒状本体３１は、例えば金属製等とする。
【００４４】
また保持枠３０は、開閉式とすることが好ましい。図５の例では、筒状本体３１の一方の端縁を開口しており、同じくメッシュ状とした蓋部３２で覆うようにしている。なお、保持枠３０を開閉式とする構造は、この構成に限らず、例えば蝶番式の開閉蓋部を設けてもよいし、また筒状本体を左右に二分割するよう構成してもよい。
【００４５】
このようにして、保持枠３０を開閉式として内部の延長容器１０を交換式とできる。この結果、藻類養殖用施肥剤を使い切った後でも、延長容器のみを交換することで、再度施肥効果を発揮させることが可能となり、藻類養殖用施肥剤の再充填の手間を省力化できる利点が得られる。なお、ワカメの色落ちの回復効果は、一般に藻類養殖用施肥剤を１〜２週間程度供給すれば足りることが多いが、波の速度や海温、個体差等の状況によって、一部のワカメで色落ち効果が不十分となることが考えられる。この場合でも、保持枠に藻類養殖用施肥剤を交換式に再充填可能とすることで、必要な箇所のワカメに対し施肥を継続することが可能となる。
【００４６】
図６等に示す保持枠３０は、上述の通りメッシュ状に形成している。これにより、保持枠３０に保持された延長容器１０の様子を外部から視認し易く、また延長容器１０の半透膜領域から溶出される藻類養殖用施肥剤のイオンを保持枠３０で妨げることなく放出することが可能となる。
【００４７】
固定具２０の例としては、図４、図５に示すように先端を鉤爪状に形成した構成が利用できる。これにより、鉤爪状の先端をロープ１の撚りに刺入して固定具２０を固定し易くできる。例えば図１３に示すように、ロープ１を編むストランド同士の隙間に固定具２０先端の鉤爪状を刺入して固定し易くできる。
（変形例）
【００４８】
また固定具２０はこの構成に限られず、保持枠３０をロープ１に固定可能な既知の固定具２０を適宜利用できる。例えば図１４Ａに示す固定具２０Ａのように、指で摘まんで開閉可能なクリップ状に構成したり、図１４Ｂに示す固定具２０Ｂのようにねじで固定するクランプ式にしたり、あるいは図１４Ｃに示す固定具２０Ｃのような弾性変形する金属製のＵ字状のクリップ、図１４Ｄの断面図に示す固定具２０Ｄのような樹脂製の爪に圧入する構造、図１４Ｅに示す固定具２０Ｅのようなナスカン式などが適宜利用できる。
【００４９】
さらに保持枠３０も、図４〜図６に示したようなメッシュ式に限られず、種々の形態が利用できる。例えば図１５Ａに示す保持枠３０Ａのように、筒状に形成して多数の開口窓を形成したものとしてもよい。開口窓の形状は、円形の他、四角形や六角形などの多角形状、楕円形や半円形などとすることができる。あるいは図１５Ｂに示す保持枠３０Ｂのように側面にスリットを設けてもよい。あるいはまた図１５Ｃに示す保持枠３０Ｃのように側面を渦巻き状に構成してもよい。いずれも、保持枠に多くの隙間を形成することで、保持枠に保持した延長容器から藻類養殖用施肥剤を溶出させ、隙間を通じてワカメに施肥することができる。
（実施形態５）
【００５０】
また固定具２０は、必ずしも保持枠に設ける必要はなく、例えば固定具を別部材としてもよい。例えば保護枠に固定具を取り付けるのではなく、紐状のものや伸縮性のあるゴム等を予めロープに取り付けておき、固定具のない保持枠をロープに固定することもできる。また、保持枠を使用しない態様とすることもできる。例えば図１６に示す実施形態５に係る藻類養殖用施肥具５００では、延長容器１０をロープ１に固定するため、環状の固定具２０Ｆを用いている。この構成であれば、保持枠を用意することなく延長容器１０を直接、ロープ１に装着できる。環状の固定具２０Ｆは、例えば紐状体で延長容器１０を一定間隔でロープ１に結びつける。紐状体は、麻紐等が利用できる。あるいは帯状の布や不織布、ビニール紐などを紐状体としても良い。
（実施形態６）
【００５１】
あるいは、図１７に示す実施形態６に係る藻類養殖用施肥具６００のように、固定具２０Ｇとして予めロープ１側に一定間隔で紐状体を設けてもよい。例えばロープ１を撚る際に予め麻紐を入れ込んでおく。この構成であれば、ロープ１に沿って延長容器１０を紐状体で結びつけることが一層容易となる。特に図１６の例と異なり、紐状体がロープ１に沿って移動することがないため、より安定的に延長容器１０を保持できる。
（実施形態７）
【００５２】
また、他の固定具として、環状体を予めロープ１に一定間隔で設けてもよい。環状体は、例えばゴム輪などの弾性体で構成することができる。また環状体をロープ１の延長方向に沿って設ける間隔を、延長容器１０の長さよりも短くすると共に、環状体の内径を、延長容器１０の外径と同じか、これよりも若干小さく設計することで、図１８Ａ、図１８Ｂに示す実施形態７に係る藻類養殖用施肥具７００のように環状体２０Ｈの開口部分に延長容器１０を圧入して、延長容器１０の両端をロープ１に固定できる。この構成であれば延長容器１０をロープ１に固定する作業を簡略化することができる。
（実施形態８）
【００５３】
さらに、他の固定具として、図１９Ａに示す実施形態８に係る藻類養殖用施肥具８００のようにロープ１に沿って延長容器１０を配置した状態で、固定具として弾性部材で螺旋状に形成したスプリング体２０Ｉを、これらロープ１と延長容器１０の周囲に巻き付けるようにして、図１９Ｂに示すように固定することもできる。この構成であれば、いわば固定具を保持枠と兼用するように構成して、延長容器１０を保護しつつロープ１の任意の位置に固定することが可能となる。
（比較試験１）
【００５４】
ここで、延長容器１０上に設けた半透膜領域の面積を異ならせて試験を行った結果を、図２０Ａ〜図２１に基づいて説明する。ここでは、藻類養殖用施肥剤として硝酸塩を用いて、内層１１として半透膜１２である再生セルロース製のチューブに充填した。そして、この内層１１の両端から、図８に示すように、外層１３であるポリエチレンビニール製のチューブで表面を覆い、図７に示すように延長容器１０の中間において内層１１すなわち半透膜１２を露出させるようにした。
【００５５】
ここでは比較例１として、図２０Ａに示すように延長容器１０の全面を半透膜１２とした藻類養殖用施肥具１００と、実施例１として図２０Ｂに示すように半透膜１２を延長容器１０の中央で横幅１０ｍｍに設けた藻類養殖用施肥具１００と、実施例２として図２０Ｃに示すように横幅３０ｍｍで設けた藻類養殖用施肥具１００を作成し、硝酸塩の溶出率を測定した。この結果を図２１のグラフに示す。この図に示すように、全面を半透膜１２とした延長容器１０の場合は、硝酸塩の溶出が急激に進行し、１日で９５％近くの硝酸塩が溶出してしまい、３日程度しか持続しなかった。一方、実施例１と３はいずれも、硝酸塩の露出量をほぼ一定の勾配に維持することができ、１４日経過後でも硝酸塩の溶出効果を持続できた。なお、実施例１の横幅１０ｍｍと実施例３の横幅３０ｍｍを比較すると、実施例３の方が半透膜１２の露出面積が広い分、溶出率が高く、１４日経過後に約９０％の硝酸塩が溶出された。一方、実施例１に係る横幅１０ｍｍでは、１４日経過後でも溶出率が６０％であり、１４日経過後も溶出効果が持続されることが示された。このことから、半透膜１２の面積を調整することで、藻類養殖用施肥剤の溶出の持続効果を調整できることが確認された。一般に、ワカメの色落ちの回復には、７〜１０日間は必要とされているため、１４日間の持続効果があれば十分な実用性を発揮できる。また、露出面積が広いほど、硝酸塩の溶出率が高くなる分、持続効果も短くなると思われるので、藻類養殖用施肥具１００の交換頻度や要求される施肥量等に応じて、半透膜１２の面積を調整できる。このように、実施例に係る本願発明によれば、半透膜１２の露出面積を調整することで、藻類養殖用施肥剤の溶出量を調整できることが確認された。
（比較試験２）
【００５６】
次に、半透膜１２を延長容器１０上で設ける位置を異ならせて試験を行った結果を、図２２Ａ〜図２３に基づいて説明する。図２２Ａでは実施例３として、延長容器１０の両端をそれぞれ２０ｍｍ露出させた藻類養殖用施肥具１００を、図２２Ｂでは実施例４として、図において左側端部のみを３０ｍｍ露出させて、それぞれ硝酸塩の溶出率を測定した。この結果を図２３に示す。なお、延長容器１０の材質や藻類養殖用施肥剤等の条件は、上記比較試験１と同様とした。図２３に示すように、いずれの実施例も硝酸塩の溶出効果を１４日経過後も持続でき、有効性が確認された。また、両端に半透膜を設けた方が、片方に設ける場合よりも溶出率が高いことが確認された。このことから、保持枠３０の形態や延長容器１０の固定方法の違いに応じて、延長容器１０の中間以外の位置に半透膜１２を設けて、藻類養殖用施肥剤の溶出量を最適になるよう調整することも可能と思われる。
（比較試験３）
【００５７】
さらに、ゲル化の効果を確認するため、ゲル化していない液体の液肥を用いて比較試験を行った。ここでは液肥として硝酸アンモニウムの水溶液を、半透膜性に充填した。比較例３では、図２５に示すように、半透膜の中間において３０ｍｍ幅で露出させるように藻類養殖用施肥具で被覆した。また比較例４では被覆を行わず、半透膜のままで剥き出しとした。これらの比較例３、４における施肥剤の溶出結果を図２５のグラフに示す。この図に示すように、比較例４では上述した比較例１と同様の結果となり、また比較例３でも同様に被膜しない状態と余り差がない状態で、短期間に液肥が溶出してしまい持続効果が得られなかった。言い換えると、藻類養殖用施肥具の一部に半透膜を用いたとしても、液肥を利用した場合は溶出を抑制し難いことが判明した。この理由は、液肥の分子が藻類養殖用施肥具の内部を自由に動き回るためと思われる。この結果からも、液肥の施肥剤を寒天等のゲル化剤で硬化させて溶出量を制御する方法の有効性が確認された。
（実施形態９）
【００５８】
以上の例では、藻類としてワカメの施肥に利用する例を説明したが、本発明の藻類養殖用施肥具１００は、ワカメに限らず他の藻類の施肥にも適用できる。例えば海苔、昆布等が利用できる。実施形態９として、海苔の施肥に用いる例を図２６及びその拡大図である図２７に基づいて説明する。図２６に示す海苔の養殖いかだ２０００は、メインロープＭＲによって形成された長方形の枠の内側に平行に張設されたサブロープＳＲの間に、海苔の胞子を付けた海苔網ＳＮを張設している。そして図２７の拡大図に示すように、藻類養殖用施肥具１００を、各海苔網ＳＮのサブロープＳＲに沿って固定している。固定方法等は、上述したワカメ用の藻類養殖用施肥具１００と同様の構成が適宜利用できる。また藻類養殖用施肥剤は、海苔の育成や色落ちの回復効果に優れた藻類養殖用施肥剤が適宜選択される。なお藻類養殖用施肥具１００の固定位置ＦＰや配置パターンは、適宜変更することができる。例えば海苔網ＳＮに藻類養殖用施肥具１００を直接固定してもよい。さらに海苔以外の藻類に対しても、本発明の藻類養殖用施肥具１００は適宜利用できる。
【産業上の利用可能性】
【００５９】
本発明の藻類養殖用施肥具は、ワカメや海苔などの藻類の色落ちの抑制や回復のための施肥に好適に利用できる。
【符号の説明】
【００６０】
１０００…ワカメの養殖いかだ
２０００…海苔の養殖いかだ
１００、２００、３００、４００、５００、６００、７００、８００…藻類養殖用施肥具
１…ロープ
１０、１０Ｂ、１０Ｃ、１０Ｄ…延長容器
１１、１１Ｃ…内層
１２、１２Ｂ、１２Ｃ…半透膜
１２Ｄ…半透膜領域
１３、１３Ｃ…外層
２０、２０Ａ、２０Ｂ、２０Ｃ、２０Ｄ、２０Ｅ、２０Ｆ、２０Ｇ…固定具；
２０Ｈ…環状体；２０Ｉ…スプリング体
３０、３０Ａ、３０Ｂ、３０Ｃ…保持枠
３１…筒状本体
３２…蓋部
４０…海藻養殖用施肥剤
２８０…海苔養殖用施肥器
２９０Ａ〜２９０Ｃ…容器
３００…容器
ＷＫ…枠
ＭＲ…メインロープ
ＳＲ…サブロープ
ＳＮ…海苔網
ＷＭ…ワカメ
ＢＹ…ブイ
ＦＰ…固定位置
ＳＴ…種苗糸
ＢＬ…剥離線
ＲＰ…ロープ
【図１】
2019097542.tif 000003
【図２】
2019097542.tif 000004
【図３】
2019097542.tif 000005
【図４】
2019097542.tif 000006
【図５】
2019097542.tif 000007
【図６】
2019097542.tif 000008
【図７】
2019097542.tif 000009
【図８】
2019097542.tif 000010
【図９】
2019097542.tif 000011
【図１０】
2019097542.tif 000012
【図１１】
2019097542.tif 000013
【図１２】
2019097542.tif 000014
【図１３】
2019097542.tif 000015
【図１４】
2019097542.tif 000016
【図１５】
2019097542.tif 000017
【図１６】
2019097542.tif 000018
【図１７】
2019097542.tif 000019
【図１８】
2019097542.tif 000020
【図１９】
2019097542.tif 000021
【図２０】
2019097542.tif 000022
【図２１】
2019097542.tif 000023
【図２２】
2019097542.tif 000024
【図２３】
2019097542.tif 000025
【図２４】
2019097542.tif 000026
【図２５】
2019097542.tif 000027
【図２６】
2019097542.tif 000028
【図２７】
2019097542.tif 000029
【図２８】
2019097542.tif 000030
【図２９】
2019097542.tif 000031
【図３０】
2019097542.tif 000032